(57)【要約】【課題】商品の収納量を減らすことなく、主に下段に収納された商品の温度バラツキを抑えて冷却または加熱することができ、熱交換手段を運転する設定温度を自動的に決定することができる自動販売機を得る。【解決手段】自動販売機１００の商品室４０内で前面から背面に向かって複数台のサーペンラック４２が設置され、サーペンラック４２を構成するセグメント５０のうち最も下に配置されたセグメント６０には通気窓５８が形成されている。庫内ファン６によって送り出された空気は、それぞれの通気窓５８を通過して隣接するサーペンラック４２内に順次流入し、やがて、循環ダクト４６に形成された吸引口４６ａに流入して循環する。  さらに、熱交換手段の運転を開始、停止、および再度開始する１サイクル間の平均空気温度と目標設定温度との温度差だけ、次サイクルにおける設定温度を変更する。【選択図】図１
2008257367.tif 000002
【特許請求の範囲】
【請求項１】
断熱材によって囲まれ前面に開口部を具備する筐体と、
前記筐体内に前面から背面に向かって複数列配置され、それぞれ商品を収納すると共に、収納された商品が順次下方に移動するサーペンラックと、
該サーペンラックの下端に設置され、商品を一個ずつ落下させる商品切り出し手段と、
前記商品が通過自在な商品搬出口が形成され、前記開口部を開閉自在な断熱扉と、
前記商品切り出し手段から落下した商品を前記商品搬出口に誘導するシュータと、
該シュータの下方に配置され、空気を加熱または冷却する熱交換手段と、
前記シュータの下方に配置され、空気を送り出す送風手段と、
前記筐体の背面に配置され、前記送風手段によって送り出された後、前記サーペンラックを経由した空気を前記送風手段に戻す、背面ダクトと、
を有する自動販売機であって、
前記サーペンラックが上下方向に配置された複数枚の側面視略円弧状のセグメントによって構成され、且つ、該複数枚のセグメントのうちの何れかのセグメントに通気窓が形成され、
前記複数列のサーペンラックのうち一方の列のサーペンラックに流入した空気が、前記通気窓を通過して、隣接する列のサーペンラックに流出することを特徴とする自動販売機。
【請求項２】
前記通気窓が前記サーペンラックを構成する複数枚のセグメントのうちの最下端に配置されるセグメントに形成されることを特徴とする請求項１記載の自動販売機。
【請求項３】
前記複数列のサーペンラックのうち最も背面寄りに配置されたサーペンラックに形成された前記通気窓の位置が、前記背面ダクトに形成された吸引孔の位置に略一致し、
且つ、前記通気窓を通過して前記複数列のサーペンラックを順次通過する風流れが、略滑らかに連続して、前記ダクト吸引口に到達することを特徴とする請求項１または２記載の自動販売機。
【請求項４】
目標設定温度に前記商品を加熱または冷却するために、前記熱交換手段の運転を開始する条件となる運転開始空気温度と、前記熱交換手段の運転を停止する条件となる運転停止空気温度と、を決定する制御手段を有し、
該制御手段が、予め設定された前記目標設定温度を跨ぐ初期運転開始空気温度および初期運転停止空気温度に基づいて、前記熱交換手段の運転を開始、停止、および再度開始した際の、平均空気温度と前記目標設定温度との温度差だけ、再度停止する条件となる運転停止空気温度および再再度開始する条件となる運転開始空気温度を変更することを特徴とする請求項１乃至３の何れかに記載の自動販売機。
【請求項５】
あるサイクルにおける運転開始空気温度および運転停止空気温度を、前記初期運転開始空気温度および初期運転停止空気温度と読み替え、当該サイクルにおける平均空気温度と前記目標設定温度との温度差だけ、次サイクルにおける運転開始空気温度および運転停止空気温度を変更することを特徴とする請求項４記載の自動販売機。
【発明の詳細な説明】
【技術分野】
【０００１】
本発明は、自動販売機、特に、缶、ビン、パック、ペットボトル等の容器に入れた飲料等の商品を冷却または加熱して販売に供する自動販売機に関する。
【背景技術】
【０００２】
自動販売機は、断熱材によって囲まれた筐体からなり、内部に商品が収納され、内部の空気は所定の温度（低温）に加熱または冷却されている。なお、商品とは、缶、ビン、ペットボトル等の容器に入れた飲料等その物を指す場合と、飲料等が封入された容器を指す場合とがある。
【０００３】
商品は、商品を順次下方に搬出する機能を有するサーペンラック（サーペンタインラックに同じ）に収納され、サーペンラックの下方には商品を１個ずつ落下させる商品切り出し手段が設置されている。そして、商品切り出し手段によって切り出されて落下した商品は、シュータによって前面扉に形成された商品搬出口に誘導される。
また、シュータの下方には、熱交換手段（蒸発器およびヒータ）と送風手段（ファン）とが設置され、冷却または加熱された空気が、シュータに形成された通気孔を通過してサーペンラックに向けて吹き出すようになっている。さらに、商品収納庫の後面には循環ダクトが配置されているから、シュータから吹き出された空気はサーペンラックを経由して、循環ダクトに吸い込まれ、再度ファンに戻ることになる。
【０００４】
商品を冷却または加熱する際の目標温度は、商品の種類、季節、自動販売機の設置場所等によって調整され、通常、次回または次次回の販売対象になる最も下段に収納された１個または２個の商品の温度を前記目標温度にするようにしている。
しかしながら、サーペンラックが筐体の前面から背面に向かう方向に複数列設置され、しかも、それぞれのサーペンラック内を空気（冷却または加熱されている）が上昇するため、サーペンラック間で商品温度がバラついていた。
また、かかる商品温度のバラツキの状況が、自動販売機毎に相違するため、商品を目標温度にするために、熱交換手段の運転を開始または停止（ＯＮ／ＯＦＦ）する条件となる設定温度を、自動販売機毎に製造時（製造工場内）に決定する必要があると共に、設定温度を微調整するための「お好み温度設定」機能を付加し、ユーザは、お好み温度設定を所定幅で振る必要があった。
さらに、サーペンラックの高い位置に収納され商品も冷却または加熱され、販売までの長時間に渡る冷却または加熱により熱エネルギが無駄になっていた。
【０００５】
そこで、サーペンラックの中段部に、開閉自在な遮蔽板を設置して空気の上昇を抑え、サーペンラックを構成するセグメントに形成した通気孔から戻りダクトに向かって風を流す発明が開示されている（例えば、特許文献１参照）。
【０００６】
【特許文献１】特開２００５−２９３３６５号公報（第３−４頁、図１）
【発明の開示】
【発明が解決しようとする課題】
【０００７】
しかしながら、前記特許文献１に開示された発明は、以下の問題があった。
（あ）遮蔽板が観音開きするため、遮蔽板の可動範囲には商品を収納することができないため、商品の収納量が減少する。
（い）遮蔽板を観音開き自在に設置する機構を必要とするため、製造コストが上昇する。
（う）遮蔽板がサーペンラックの中段部に設置されるため、多くの商品を長時間に渡って冷却または加熱するため、熱エネルギが無駄になる。
（え）依然として、熱交換手段の運転を開始または停止（ＯＮ／ＯＦＦ）する条件となる設定温度は、自動販売機毎に製造時（製造工場内）に決定する必要がある。
【０００８】
本発明は上記問題を解決するものであって、商品の収納量を減らすことなく、主に下段に収納された商品の温度バラツキを抑えて冷却または加熱することができ、しかも製造コストの上昇が抑えられた自動販売機、さらには、熱交換手段の運転を開始または停止する条件となる設定温度を、自動的に決定することができる自動販売機を提供することを目的とする。
【課題を解決するための手段】
【０００９】
（１）本発明に係る自動販売機（請求項１）は、断熱材によって囲まれ前面に開口部を具備する筐体と、
前記筐体内に前面から背面に向かって複数列配置され、それぞれ商品を収納すると共に、収納された商品が順次下方に移動するサーペンラックと、
該サーペンラックの下端に設置され、商品を一個ずつ落下させる商品切り出し手段と、
前記商品が通過自在な商品搬出口が形成され、前記開口部を開閉自在な断熱扉と、
前記商品切り出し手段から落下した商品を前記商品搬出口に誘導するシュータと、
該シュータの下方に配置され、空気を加熱または冷却する熱交換手段と、
前記シュータの下方に配置され、空気を送り出す送風手段と、
前記筐体の背面に配置され、前記送風手段によって送り出された後、前記サーペンラックを経由した空気を前記送風手段に戻す、背面ダクトと、
を有する自動販売機であって、
前記サーペンラックが上下方向に配置された複数枚の側面視略円弧状のセグメントによって構成され、且つ、該複数枚のセグメントのうちの何れかのセグメントに通気窓が形成され、
前記複数列のサーペンラックのうち一方の列のサーペンラックに流入した空気が、前記通気窓を通過して、隣接する列のサーペンラックに流出することを特徴とする。
【００１０】
（２）本発明に係る自動販売機（請求項２）は、前記（１）において、前記通気窓が前記サーペンラックを構成する複数枚のセグメントのうちの最下端に配置されるセグメントに形成されることを特徴とする。
【００１１】
（３）本発明に係る自動販売機（請求項３）は、前記（１）または（２）において、前記複数列のサーペンラックのうち最も背面寄りに配置されたサーペンラックに形成された前記通気窓の位置が、前記背面ダクトに形成された吸引孔の位置に略一致し、
且つ、前記通気窓を通過して前記複数列のサーペンラックを順次通過する風流れが、略滑らかに連続して、前記ダクト吸引口に到達することを特徴とする。
【００１２】
（４）本発明に係る自動販売機（請求項４）は、前記（１）乃至（３）の何れかにおいて、目標設定温度に前記商品を加熱または冷却するために、前記熱交換手段の運転を開始する条件となる運転開始空気温度と、前記熱交換手段の運転を停止する条件となる運転停止空気温度と、を決定する制御手段を有し、
該制御手段が、予め設定された前記目標設定温度を跨ぐ初期運転開始空気温度および初期運転停止空気温度に基づいて、前記熱交換手段の運転を開始、停止、および再度開始した際の、平均空気温度と前記目標設定温度との温度差だけ、再度停止する条件となる運転停止空気温度および再再度開始する条件となる運転開始空気温度を変更することを特徴とする。
【００１３】
（５）本発明に係る自動販売機（請求項５）は、前記（４）において、あるサイクルにおける運転開始空気温度および運転停止空気温度を、前記初期運転開始空気温度および初期運転停止空気温度と読み替え、当該サイクルにおける平均空気温度と前記目標設定温度との温度差だけ、次サイクルにおける運転開始空気温度および運転停止空気温度を変更することを特徴とする。
【発明の効果】
【００１４】
（ｉ）本発明の請求項１に係る自動販売機は、前記構成であるから、特別の機構を必要としないで、隣接するサーペンラックに流入する「斜め横方向の風流れ」が形成されるため、サーペンラック間の商品温度のバラツキが小さくなる。
【００１５】
（ｉｉ）本発明の請求項２に係る自動販売機は、サーペンラックの最下端に配置されるセグメントに通気窓が形成されるため、次販売商品および次次販売商品等が集中的に冷却または加熱され、サーペンラックの中央部や上部に収納された商品に熱エネルギが奪われないから、省エネ効果が得られる。
（ｉｉｉ）本発明の請求項３に係る自動販売機は、複数サーペンラックに跨った背面ダクトの吸引口に至る「斜め横方向の風流れ」が形成されるため、送風手段の負担も減少し、さらなる省エネ効果が得られる。
【００１６】
（ｉｖ）本発明の請求項４に係る自動販売機は、制御手段が、熱交換手段の運転を開始または停止（ＯＮ／ＯＦＦ）する条件となる設定温度を自動的に決定するため、自動販売機毎に製造時（製造工場内）における作業が簡素且つ迅速になる。
（ｖ）本発明の請求項５に係る自動販売機は、制御手段が、繰り返し学習しながら前記設定温度を自動的に決定するため、設定温度の精度が向上するから、商品をより正確に目標温度に冷却または加熱することができる。
【発明を実施するための最良の形態】
【００１７】
［実施の形態１］
（自動販売機）
図１〜図５は本発明の実施の形態１に係る自動販売機を模式的に説明するものであって、図１は側面視の断面図、図２および図３はセグメントを模式的に示す側面図および正面図、図４はサーペンラックの一部の部分拡大図、図５は風流れを示す部分斜視図である。なお、以下の図において同じ部分または相当する部分には同じ符号を付し、一部の説明を省略する。
図１において、自動販売機１００は、前面が開口した筐体（以下「キャビネット」と称す）１０と、キャビネット１０の内部で断熱材２０に包囲された商品収納庫３０とを有し、商品収納庫３０は仕切り板（紙面に平行なため図示しない）によって複数の商品室４０に仕切られている。そして、前面の開口部には、商品Ｓを補充する時に開閉する商品補充用扉３１と、外気を遮断するための内扉３２と、前扉３３と、がそれぞれ開閉自在に設置されている。
【００１８】
商品室４０には、商品Ｓを収納するための僅かに傾斜した商品補給ラック４１と、商品補給ラック４１から商品Ｓが補給される鉛直方向に配置されたサーペンラック４２と、サーペンラック４２の下方に設置され、商品Ｓを１個ずつ切り出す商品切り出し手段４３と、商品切り出し手段４３によって切り出されて落下した商品Ｓを、商品取出し口４４まで誘導するシュータ４５と、が設置されている。
そして、シュータ４５の下方が庫内部品収納室４８となり、商品室４０の背面側に、庫内空気をサーペンラック４２を経由して庫内部品収納室４８に循環させるための循環ダクト４６が設置されている。
【００１９】
さらに、商品収納庫３０の下方には、冷凍サイクルを構成する、圧縮機１と、凝縮器２と、膨張手段（たとえば、キャピラリチューブ）３と、凝縮器２に向けて外気を吹き付ける庫外ファン２ｆと、これらを連結する配管等が、設置されている。
また、庫内部品収納室４８には、送風ダクト４７が設置され、送風ダクト４７の内部に、冷凍サイクルを構成する蒸発器４と、電気ヒータ５と、蒸発器４および電気ヒータ５を通過する風流れを形成する庫内ファン６が設置されている。なお、電気ヒータ５に替えて、第二の凝縮器を送風ダクト４７内に配置し、これに高温高圧の冷媒を供給する（切替手段によって圧縮機１の出側に連通する）ようにしてもよい。
さらに、最も前面側に設置された商品切り出し手段４３の下面に空気温度を測定する温度計７が設置されている。温度計７の測定結果が図示しない制御手段に入力される。
【００２０】
（サーペンラック）
サーペンラック４２は前後方向に複数列（図１においては６列）設置され、それぞれ、上下方向に複数配置されている側面視で略円弧状のセグメント５０と、最下段にセグメント５０に連なって配置されている側面視で略円弧状のセグメント６０と、によって構成されている。したがって、複数の商品Ｓは前記円弧状部分に当接して、上下方向で蛇行して収納されるため、商品Ｓの自重の一部はセグメント５０に伝達され、商品切り出し手段４３に大きな荷重が作用することがない。
また、商品Ｓは蛇行しながらセグメント５０に当接しているため、商品切り出し手段４３によって最下段の商品Ｓが切り出された直後、全ての商品Ｓが同時に平行移動するように落下することはなく、下側の商品Ｓから１つづつ、僅かな時間をズラして落下する。
なお、説明の便宜上、サーペンラック４２を前面から背面にむかって順番に、サーペンラック４２ａ、４２ｂ、４２ｃ、４２ｄ、４２ｅ、４２ｆと称す。
【００２１】
（セグメント）
図２の（ａ）は側面図、図２の（ｂ）は正面図である。図２において、セグメント５０は、板材を成形したものであって、側面視で略円弧状、平面視で矩形を呈している。すなわち、上縁部５１（図中、位置Ａと位置Ｃとを結ぶ範囲）と下縁部５２（図中、位置Ｄと位置Ｆとを結ぶ範囲）とは筒状に形成され、セグメント５０の剛性が高まると共に、相互の連結が容易になっている。また、円弧部５３（図中、位置Ａ、位置Ｃ、位置Ｆおよび位置Ｄによって囲まれた範囲）が略円弧状に形成され、剛性を高めるための凹凸溝５４および通気孔５５が形成されている。
【００２２】
図３の（ａ）は側面図、図３の（ｂ）は正面図である。図３において、サーペンラック４２を構成するセグメント５０のうち最も下に配置されたセグメント６０は、板材を成形したものであって、側面視で略円弧状、平面視で略コ字状を呈している。すなわち、上縁部５１（図中、位置Ａと位置Ｃとを結ぶ範囲）と下縁部５２（図中、位置Ｄと位置Ｆとを結ぶ範囲）とは筒状に形成され、セグメント５０の剛性が高まると共に、相互の連結が容易になっている。また、円弧部５６（図中、位置Ｂ、位置Ｃ、位置Ｆおよび位置Ｅによって囲まれた範囲）が略円弧状に形成され、剛性を高めるための凹凸溝５７が形成されている。
したがって、セグメント６０には、通気窓５８（図中、位置Ａ、位置Ｂ、位置Ｅおよび位置Ｄによって囲まれた範囲）が形成されたことに同じである。なお、図中、位置Ａ、位置Ｃ、位置Ｆおよび位置Ｄによって囲まれた範囲に円弧部５３を形成し、円弧部５３に通気窓５８を設けてもよく、通気窓５８の形状は矩形に限定するものではない。
【００２３】
（風流れ）
図４および図５において、以上のように、前後方向に複数列（６列）設置されサーペンラック４２の最下段に配置されたセグメント６０には、通気窓５８が形成されているから、それぞれの通気窓５８の位置は略一致するか、あるいは、背面に近づく程除々に高い位置になる。
なお、説明の便宜上、サーペンラック４２ａ、４２ｂ、４２ｃ、４２ｄ、４２ｅ、４２ｆを構成するセグメント６０を、それぞれセグメント６０a、６０ｂ、６０ｃ、６０ｄ、６０ｅ、６０ｆと称し、それぞれ形成された通気窓５８を、通気窓５８、５８ｂ、５８ｃ、５８ｄ、５８ｅ、５８ｆと称す。
また、最も背面寄りに設置されたサーペンラック４２ｆの最下段に配置されたセグメント６０ｆ位置が、循環ダクト４６に形成された吸引口４６ａの位置に略一致している。したがって、通気窓５８、５８ｂ、５８ｃ、５８ｄ、５８ｅ、５８ｆを順次連通して、吸引口４６ａに至る「斜め上方向で、背面に向かう風路」が形成される。
特に、短い商品Ｓを円弧部５３側に収納した場合には、通気窓５８の広い範囲に遮るものがないため、より流れ易い風路が形成されることになる。
【００２４】
このとき、それぞれのサーペンラック４２において、中段あるいは上段に到達する空気の量が減少するから、すなわち、下段に配置された商品（間もなく販売される）が集中的に冷却または加熱されるから、熱エネルギの無駄が省け、省エネ効果が得られる。
また、隣接するサーペンラック４２に空気が流入するから、サーペンラック４２間の商品温度のバラツキが少なくなる。
【００２５】
［実施の形態２］
（自動販売機）
図６〜図９は本発明の実施の形態２に係る自動販売機を模式的に説明するものであって、図６は制御方法を説明するフローチャート、図７および図８は温度チャート、図９は比較材としての従来の作業を示す温度チャートである。
図６において、自動販売機２００の制御手段は以下のステップを実行して、目標設定温度（Ｔａｉｍ）に前記商品を加熱または冷却するために、前記熱交換手段の運転を開始する条件となる運転開始空気温度（Ｔｏｎ）と、前記熱交換手段の運転を停止する条件となる運転停止空気温度（Ｔｏｆｆ）と、を決定する。
【００２６】
（Ｓ１）目標設定温度（Ｔａｉｍ、「お客お好み温度設定」に同じ）を入力する。
（Ｓ２）目標設定温度（Ｔａｉｍ）を跨ぐ初期運転開始空気温度（Ｔｏｎ）および初期運転停止空気温度（Ｔｏｆｆ）を自動決定する。
（Ｓ３）前記冷凍サイクルを起動して蒸発器４に冷媒を供給して冷却または電気ヒータ５に通電して加熱を通過し、温度計７の検知した空気温度（Ｔｔｈｅ）が初期運転停止空気温度（Ｔｏｆｆ１）に到達した時点で、冷却または加熱を中止し、さらに、初期運転開始空気温度（Ｔｏｎ１）に到達した時点で、冷却または加熱を再開する。そして、この間（第一サイクル）に、温度計７が検知した空気温度の平均値（Ｔｍｅａｎ１）を計算する。
（Ｓ４）そして、平均値（Ｔｍｅａｎ１）と目標設定温度（Ｔａｉｍ）を比較して、その温度差（ΔＴ１＝Ｔａｉｍ−Ｔｍｅａｎ１）を計算する。
【００２７】
（Ｓ５）平均値（Ｔｍｅａｎ）と目標設定温度（Ｔａｉｍ）とが等しい（ΔＴ＝０）とき、初期運転開始空気温度（Ｔｏｎ１）および初期運転停止空気温度（Ｔｏｆｆ１）を変更することなく、すなわち、運転開始空気温度（Ｔｏｎ２）および運転停止空気温度（Ｔｏｆｆ２）をそれぞれ「Ｔｏｎ２＝Ｔｏｎ１、Ｔｏｆｆ２＝Ｔｏｆｆ１」として、第二サイクルとして前記Ｓ３からＳ４を実行する。
（Ｓ６）平均値（Ｔｍｅａｎ）が目標設定温度（Ｔａｉｍ）より低い（ΔＴ＞０）とき、初期運転開始空気温度（Ｔｏｎ）および初期運転停止空気温度（Ｔｏｆｆ）を高くする。すなわち、運転開始空気温度（Ｔｏｎ２）および運転停止空気温度（Ｔｏｆｆ２）をそれぞれ「Ｔｏｎ２＝Ｔｏｎ１＋ΔＴ、Ｔｏｆｆ２＝Ｔｏｆｆ１＋ΔＴ」として、第二サイクルとして前記Ｓ３からＳ４を実行する。
（Ｓ７）平均値（Ｔｍｅａｎ）が目標設定温度（Ｔａｉｍ）より高い（ΔＴ＜０）とき、初期運転開始空気温度（Ｔｏｎ）および初期運転停止空気温度（Ｔｏｆｆ）を低くする。運転開始空気温度（Ｔｏｎ２）および運転停止空気温度（Ｔｏｆｆ２）をそれぞれ「Ｔｏｎ２＝Ｔｏｎ１＋ΔＴ、Ｔｏｆｆ２＝Ｔｏｆｆ１＋ΔＴ」として、第二サイクルとして前記Ｓ３からＳ４を実行する。
【００２８】
そして、第二サイクルが終了したところで、前記同様に温度差「ΔＴ２＝Ｔａｉｍ−Ｔｍｅａｎ２」を計算して、運転開始空気温度（Ｔｏｎ３）および運転停止空気温度（Ｔｏｆｆ３）を「Ｔｏｎ３＝Ｔｏｎ２＋ΔＴ、Ｔｏｆｆ３＝Ｔｏｆｆ２＋ΔＴ」として、第三サイクルを実行する。
第四サイクル以降も、順次同様にしてサイクルを繰り返す。よって、平均温度（Ｔａｉｍ）は目標設定温度（Ｔａｉｍ）に次第に収束する。
【００２９】
図７は、加熱運転（ＨＯＴモード）のときの温度チャートである。すなわち、目標設定温度（Ｔａｉｍ）５５℃に対して、初期運転開始空気温度（Ｔｏｎ１）を５２℃、初期運転停止空気温度（Ｔｏｆｆ１）を５８℃として、第一サイクルを実行したところ、平均温度（Ｔｍｅａｎ１）が５３℃であって、低目であった。
そこで、温度差１℃だけ高くした運転開始空気温度（Ｔｏｎ２）を５３℃、運転停止空気温度（Ｔｏｆｆ２）を５９℃として、第二サイクルを実行したところ、平均温度（Ｔｍｅａｎ２）が５４であって、低目であった。
さらに、温度差１℃だけ高くした運転開始空気温度（Ｔｏｎ３）を５４℃、運転停止空気温度（Ｔｏｆｆ３）を６０℃として、第三サイクルを実行したところ、平均温度（Ｔｍｅａｎ２）が５６であって、高目になった。
そこで、温度差１℃だけ低くした運転開始空気温度（Ｔｏｎ４）を５３℃、運転停止空気温度（Ｔｏｆｆ４）を５９℃として、第四サイクルを実行したところ、平均温度（Ｔｍｅａｎ２）が５５℃であって、略目標設定温度になった。
以下、同様にしたところ、第６サイクルにおいて空気温度が目標設定温度に収束している。
【００３０】
図８は、冷却運転（ＣＯＬＤモード）のときの温度チャートである。すなわち、目標設定温度（Ｔａｉｍ）５℃に対して、初期運転開始空気温度（Ｔｏｎ１）を７℃、初期運転停止空気温度（Ｔｏｆｆ１）を３℃として、第一サイクルを実行したところ、平均温度（Ｔｍｅａｎ１）が６℃であって、高目であった。
そこで、温度差１℃だけ低くした運転開始空気温度（Ｔｏｎ２）を６℃、運転停止空気温度（Ｔｏｆｆ２）を２℃として、第二サイクルを実行したところ、平均温度（Ｔｍｅａｎ２）が５．５℃であって、高目であった。
以下、同様に、運転開始空気温度（Ｔｏｎ３、Ｔｏｎ４・・・）と運転停止空気温度（Ｔｏｆｆ３、Ｔｏｆｆ４・・・）とを決定したところ、空気温度が目標設定温度に次第に収束している。
【００３１】
図９は、比較するために示すものであって、従来の自動販売機における運転開始空気温度（ＯＮ点）と運転停止空気温度（ＯＦＦ点）とを示している。図９の（ａ）および（ｂ）において、機種Ａおよび機種Ｂでは、製造時（製造工場内）に、目標設定温度に対する運転開始空気温度と運転停止空気温度とをそれぞれ数水準選定し、トライアンドエラーにより最終決定している。したがって、機種毎に、それぞれ相違する値になっている。
【００３２】
自動販売機２００は、以上であるから、以下の効果を奏する。
（イ）運転開始空気温度（ＯＮ点）および運転停止空気温度（ＯＦＦ点）を選定するための試験が不要になるため、製造工程が簡素になると共に、製造期間（開発期間に同じ）が短縮する。
（ロ）運転モードの変更（たとえば、ＣＣＨモードからＣＨＨモードに変更等）の際、隣接する商品室間における熱の流出入によって、運転のバランスが崩れても、自動制御によって調整することができる。
（ハ）プルダウンやプルアップ、ローディング等によって急激に商品温度が変動した場合であっても、自動制御により調整することによって急速に商品温度を適温に復帰させることができる。
（ニ）ＭＣ同期制御やサーミスタの遅れ等により、選定した運転開始空気温度（ＯＮ点）および運転停止空気温度（ＯＦＦ点）に対して、実際の温度が相違する（ズレル）場合でも、自動制御により調整することによって商品温度を目的の温度に保つことができる。
（ホ）冷凍サイクルの性能低下や筐体の断熱性能の劣化等の経年変化が生じた場合でも、自動制御により調整することによって商品温度を一定に保つことができる。
（ヘ）冷却運転時、ＭＣ保護制御や省エネのため同期制御により商品温度が上がり過ぎるのを防止するため、運転開始空気温度（ＯＮ点）および運転停止空気温度（ＯＦＦ点）を低く設定しなければならなかった場合でも、自動制御により調整することによって商品温度を意図する温度にすることができる。
【産業上の利用可能性】
【００３３】
本発明によれば、省エネ、製造コスト低減、および商品温度のバラツキ低減を図ることができるから、各種自動販売機として広く利用することができる。
【図面の簡単な説明】
【００３４】
【図１】本発明の実施の形態１に係る自動販売機を模式的に説明する側面視の断面図。
【図２】図１に示す自動販売機におけるセグメントを模式的に示す側面図と正面図。
【図３】図１に示す自動販売機におけるセグメントを模式的に示す側面図と正面図。
【図４】図１に示す自動販売機におけるサーペンラックの一部の部分拡大図。
【図５】図１に示す自動販売機における風流れを示す部分斜視図。
【図６】本発明の実施の形態２に係る自動販売機における制御方法を説明するフローチャート。
【図７】本発明の実施の形態２に係る自動販売機における温度チャート。
【図８】本発明の実施の形態２に係る自動販売機における温度チャート。
【図９】比較材としての従来の作業を示す温度チャート。
【符号の説明】
【００３５】
１ 圧縮機
２ 凝縮器
２ｆ 庫外ファン
３ 膨張手段（キャピラリチューブ）
４ 蒸発器
５ 電気ヒータ
６ 庫内ファン
７ 温度計
１０ キャビネット
２０ 断熱材
３０ 商品収納庫
３１ 商品補充用扉
３２ 内扉
３３ 前扉
４０ 商品室
４１ 商品補給ラック
４２ サーペンラック
４３ 商品切り出し手段
４４ 商品切り出し手段口
４５ シュータ
４６ 循環ダクト
４６ａ 吸引口
４７ 送風ダクト
４８ 庫内部品収納室
５０ セグメント
５１ 上縁部
５２ 下縁部
５３ 円弧部
５４ 凹凸溝
５５ 通気孔
５６ 円弧部
５７ 凹凸溝
５８ 通気窓
６０ サーペンラック
６０ セグメント
１００ 自動販売機
２００ 自動販売機
【図１】
2008257367.tif 000003
【図２】
2008257367.tif 000004
【図３】
2008257367.tif 000005
【図４】
2008257367.tif 000006
【図５】
2008257367.tif 000007
【図６】
2008257367.tif 000008
【図７】
2008257367.tif 000009
【図８】
2008257367.tif 000010
【図９】
2008257367.tif 000011